(57)【要約】【課題】高さ調整が簡単で、その調整作業を効率的に行なうことができるダブルナット方式の二重床用支持脚およびその固定方法を提供する。【解決手段】二重床用支持脚１では、軸部５を回転することにより、トッププレート６と、ベースプレート９との上下（高さ）調整を行なった後、トッププレート６上の回転止め棒挿入孔１２ａと、ベースプレート９上の回転止め棒挿入孔１３ａとに、回転止め棒１４を挿入した後、ネジ固定ハンドル１１の回転により、上下調整完了状態の固定を行なうので、この上下調整完了状態からネジの位置がずれることがなく、しかも、この上下調整完了状態の確保を、簡便且つ省力的に行うことができる。また、コンクリートスラブへの固定時に、ベースプレートに形成した回転止め棒挿入孔１３の内部に接着剤を充填硬化し、固定するので、アンカー効果により強固に固定できる。【選択図】　　　　図１
2004116056.tif 000002
【特許請求の範囲】
【請求項１】
床パネル受け台と、前記床パネル受け台を支持する防振ゴムと、前記防振ゴムと上面で固着していて、外周に雄ネジを形成した軸部を下面に有するトッププレートと、内面に前記雄ネジと螺合可能な雌ネジを形成した筒状の支柱を上面に有するベースプレートと、前記雄ネジと螺合可能な雌ネジを形成したネジ固定ハンドルとを備え、前記ネジ固定ハンドルを螺嵌した前記軸部と前記筒状の支柱を螺着し、前記軸部を回転することにより、前記トッププレートと、前記ベースプレートとの上下調整を行なった後、前記ネジ固定ハンドルの回転により、上下調整完了状態の固定が可能な二重床用支持脚であって、螺着した前記トッププレート及び前記ベースプレートの双方に、前記軸部の中心を中心とする半径同一の円周上に、複数の回転止め棒挿入孔を形成したことを特徴とする二重床用支持脚。
【請求項２】
コンクリートスラブに対する請求項１記載の二重床用支持脚の固定方法であって、前記トッププレートと、前記ベースプレートとの固定完了後に、前記ベースプレートに形成した複数の回転止め棒挿入孔の内部に接着剤を充填硬化し、コンクリートスラブに対して固定することを特徴とする二重床用支持脚の固定方法。
【発明の詳細な説明】
【０００１】
【発明の属する技術分野】
本発明は、二重床用支持脚に関するものである。
【０００２】
【従来の技術】
近年、ＯＡ機器の通信ケーブル等の配線を安全且つ効率的におこなうため、床パネルとコンクリートスラブとの間に空間を形成し、この床下空間に通信ケーブル等を収納することのできる二重床が広範に施工されている。かかる二重床は、コンクリートスラブから所定の高さに設置する必要があり、このような二重床構造において、床下地材を支持し、また、二重床のコンクリートスラブからの高さを規定するための二重床用支持脚としては、ベースプレートと、これに立設された支柱と、この支柱の上端に設けられた上下調節可能な床パネル支持部材とを一般に備えており、この二重床用支持脚を複数個、そのベースプレートをコンクリートスラブ上に所定間隔で固着、配置するとともに、各床支持脚の床パネル支持部材に床パネルを固定し、これにより床パネルをコンクリートスラブから所定の高さで支持するようにしている。
【０００３】
この場合において、コンクリートスラブに取り付けられるベースプレートと、二重床を取り付ける上記床パネル支持部材を構成するトッププレートとが、それぞれネジ及びネジ孔を有する部材を具備し、これらを螺合せしめ、ネジの回転により、床パネルとコンクリートスラブとの距離を調節した後、所謂、ダブルナット方式で上下（高さ）調整完了状態の固定が可能な、従来の二重床用支持脚においては、ネジ弛み止め（ロック）ナットの役割を果たすネジ固定ハンドルを締めつけて上下調整完了状態の固定をする際に、上下調整完了状態からネジの位置がずれてしまい、床パネルとコンクリートスラブとの距離が変化してしまうことがある。
【０００４】
かかる二重床構造においては、この上下調整完了状態が確保されないと、床パネルに傾きが生じる等の不具合の原因となる。その一方で、この上下調整完了状態の確保に、多大な時間と労力を要し、これを簡便且つ省力的に行うことができなければ、作業能率の向上が図れない。
【０００５】
一方、このような上下調整完了状態の固定を確実に行うための二重床用支持脚については、例えば、特開平７−２０７８８６号公報において、上下調整が完了した状態で、螺合したネジ部にキーを挿入する二重床用支持脚が開示されている。しかし、これは、上記したダブルナット方式で上下調整完了状態の固定を行う二重床用支持脚とは、異なる方式に関するもので、固定方法における基本的技術思想を異にするものである。
【０００６】
【特許文献１】
特開平７−２０７８８６号公報　（第２頁　［特許請求の範囲］、第３頁　段落［００１５］〜第４頁　段落［００３７］）
【０００７】
【発明が解決しようとする課題】
本発明は、上記事由に鑑みてなされたもので、その目的とするところは、高さ調整が簡単で、その調整作業を効率的に行なうことができる、ダブルナット方式で上下（高さ）調整完了状態の固定が可能な二重床用支持脚およびその固定方法を提供することにある。
【０００８】
【課題を解決するための手段】
上記課題を解決するために、請求項１に係る発明の二重床用支持脚にあっては、床パネル受け台と、前記床パネル受け台を支持する防振ゴムと、前記防振ゴムと上面で固着していて、外周に雄ネジを形成した軸部を下面に有するトッププレートと、内面に前記雄ネジと螺合可能な雌ネジを形成した筒状の支柱を上面に有するベースプレートと、前記雄ネジと螺合可能な雌ネジを形成したネジ固定ハンドルとを備え、前記ネジ固定ハンドルを螺嵌した前記軸部と前記筒状の支柱を螺着し、前記軸部を回転することにより、前記トッププレートと、前記ベースプレートとの上下調整を行なった後、前記ネジ固定ハンドルの回転により、上下調整完了状態の固定が可能な二重床用支持脚であって、螺着した前記トッププレート及び前記ベースプレートの双方に、前記軸部の中心を中心とする半径同一の円周上に、複数の回転止め棒挿入孔を形成したことを特徴とするものである。
【０００９】
請求項２に係る発明の二重床用支持脚の固定方法にあっては、コンクリートスラブに対する請求項１記載の二重床用支持脚の固定方法であって、前記トッププレートと、前記ベースプレートとの固定完了後に、前記ベースプレートに形成した複数の回転止め棒挿入孔の内部に接着剤を充填硬化し、コンクリートスラブに対して固定することを特徴とするものである。
【００１０】
【発明の実施の形態】
以下、本発明の実施形態を図面に基づき説明する。なお、本発明の二重床用支持脚は、下記の実施形態にのみ限定されるものではなく、本発明の要旨を逸脱しない範囲内において種々変更を加え得ることは勿論である。ここで、図１は、本発明の二重床用支持脚の典型的実施形態における上下（高さ）調整完了状態の固定時の概略を模式的に示す図である。図２は、本発明の二重床用支持脚の典型的実施形態における固定時の断面の概略を模式的に示す図である。
【００１１】
即ち、図１、図２に示す本発明の典型的実施形態である二重床用支持脚１においては、床パネル受け台２と、これを支持する防振ゴム３と、防振ゴム３と上面で固着していて、外周に雄ネジ４を形成した軸部５を下面に有するトッププレート６と、内面に雄ネジ４と螺合可能な雌ネジ７を形成した筒状の支柱８を上面に有するベースプレート９と、雄ネジ４と螺合可能な雌ネジ１０を形成したネジ固定ハンドル１１とを備え、このネジ固定ハンドル１１を螺嵌した軸部５と支柱８とを螺着し、軸部５を回転することにより、トッププレート６と、ベースプレート９との上下（高さ）調整を行なった後、ネジ固定ハンドル１１の回転により、所謂、ダブルナット方式で上下調整完了状態の固定ができるもので、螺着したトッププレート６及びベースプレート９の双方に、軸部５の中心を中心とする半径同一の円周上に、それぞれ複数の回転止め棒挿入孔１２、１３を形成したものである。
【００１２】
即ち、二重床用支持脚１においては、ネジ固定ハンドル１１を予め螺嵌した軸部５と支柱８を螺着した後、軸部５を回転することにより、床パネル１５とコンクリートスラブ１６との距離を所定の設定値にするために、トッププレート６と、ベースプレート９との上下調整を行なった後、ネジ固定ハンドル１１の回転により、所謂、ダブルナット方式で上下調整完了状態の固定を行なうものであるが、図１に示すように、ネジ固定ハンドル１１の回転により、上下調整完了状態の固定を行なう操作に先だって、トッププレート６上の軸部５の中心を中心とする円周上に形成した複数の回転止め棒挿入孔１２の中の特定の回転止め棒挿入孔１２ａと、軸部５と支柱８とを螺着した状態でベースプレート９上の軸部５の中心を中心とし、且つ、上記トッププレート６上の複数の回転止め棒挿入孔１２を形成した円周と同一半径の円周上に形成した複数の回転止め棒挿入孔１３の中の、上記特定の回転止め棒挿入孔１２ａに対応した特定の回転止め棒挿入孔１３ａとに、回転止め棒１４を挿入して、上記した上下調整完了状態からネジの位置がずれることを防止した後、ネジ固定ハンドル１１の回転により、上下調整完了状態の固定を行なうものである。
【００１３】
このように、二重床用支持脚１においては、軸部５と支柱８とを介して螺着したトッププレート６及びベースプレート９の双方に、軸部５の中心を中心とする半径同一の円周上に、複数の回転止め棒挿入孔１２、１３を形成しているので、ネジ弛み止め（ロック）ナットの役割を果たすネジ固定ハンドル１１を締めつけて、上下調整完了状態の固定をする際に、この上下調整完了状態からネジの位置がずれることがなく、しかも、この上下調整完了状態の確保を、簡便且つ省力的に行うことができることとなる。なお、回転止め棒１４を挿入する特定の回転止め棒挿入孔１２ａ、１３ａの選定は、特に、限定はなく、ネジ固定ハンドル１１の回転に支障のない限り、任意に選定可能である。
【００１４】
上記のように、ネジ固定ハンドル１１を締めつけて、上下調整完了状態の固定が完了した後、回転止め棒１４を二重床用支持脚１から抜き取り、図２に示すように、コンクリートスラブ１６上に固定することとなるが、この際、ベースプレート９に形成した複数の回転止め棒挿入孔１３の内部に接着剤１８を充填硬化し、コンクリートスラブ１６に対して固定することとなるので、ベースプレート９上の複数の回転止め棒挿入孔１３内で硬化した接着剤１８のアンカー効果により、ベースプレート９とコンクリートスラブ１６との固定が強固なものとすることができることとなる。
【００１５】
【発明の効果】
以上のように、請求項１に係る発明の二重床用支持脚にあっては、床パネル受け台と、前記床パネル受け台を支持する防振ゴムと、前記防振ゴムと上面で固着していて、外周に雄ネジを形成した軸部を下面に有するトッププレートと、内面に前記雄ネジと螺合可能な雌ネジを形成した筒状の支柱を上面に有するベースプレートと、前記雄ネジと螺合可能な雌ネジを形成したネジ固定ハンドルとを備え、前記ネジ固定ハンドルを螺嵌した前記軸部と前記筒状の支柱を螺着し、前記軸部を回転することにより、前記トッププレートと、前記ベースプレートとの上下調整を行なった後、前記ネジ固定ハンドルの回転により、上下調整完了状態の固定が可能な二重床用支持脚であって、螺着した前記トッププレート及び前記ベースプレートの双方に、前記軸部の中心を中心とする半径同一の円周上に、複数の回転止め棒挿入孔を形成したことを特徴とするので、ネジ弛み止め（ロック）ナットの役割を果たす前記ネジ固定ハンドルを締めつけて、上下（高さ）調整完了状態の固定をする際に、上下調整完了状態からネジの位置がずれることがなく、しかも、この上下調整完了状態の確保を、簡便且つ省力的に行うことができるという優れた効果を奏する。
【００１６】
請求項２に係る発明の二重床用支持脚の固定方法にあっては、コンクリートスラブに対する請求項１記載の二重床用支持脚の固定方法であって、前記トッププレートと、前記ベースプレートとの固定完了後に、前記ベースプレートに形成した複数の回転止め棒挿入孔の内部に接着剤を充填硬化し、コンクリートスラブに対して固定することを特徴とするので、ベースプレート上の複数の回転止め棒挿入孔内で硬化した接着剤のアンカー効果により、ベースプレートとコンクリートスラブとの固定が強固なものになるという優れた効果を奏する。
【図面の簡単な説明】
【図１】本発明の二重床用支持脚の典型的実施形態における上下（高さ）調整完了状態の固定時の概略を模式的に示す図である。
【図２】本発明の二重床用支持脚の典型的実施形態における固定時の断面の概略を模式的に示す図である。
【符号の説明】
１　　　二重床用支持脚
２　　　床パネル受け台
３　　　防振ゴム
４　　　雄ネジ（軸部５）
５　　　軸部
６　　　トッププレート
７　　　雌ネジ（支柱８）
８　　　支柱
９　　　ベースプレート
１０　　　雌ネジ（ネジ固定ハンドル１１）
１１　　　ネジ固定ハンドル
１２　　　回転止め棒挿入孔
１２ａ　　回転止め棒挿入孔
１３　　　回転止め棒挿入孔
１３ａ　　回転止め棒挿入孔
１４　　　回転止め棒
１５　　　床パネル
１６　　　コンクリートスラブ
１７　　　床材
１８　　　接着剤
１９　　　釘
２０　　　釘
【図１】
2004116056.tif 000003
【図２】
2004116056.tif 000004